(57)【要約】【課題】単位体積当たりの単位部材の使用個数を削減しても所定強度を保ちながら、雨水貯留空間の空隙率を向上させると共に、鉛直方向に貫通する点検口を多数形成して、雨水貯留浸透施設の点検作業を容易にする。【解決手段】  単位部材Ａは、厚みを有する正方形の平板部３１、この四隅に形成され当接面３４、平板部３１側に開口する中空筒状の円錐の脚部３２、３３からなる。当接面３４は、他の単位部材Ａと相互に連結するための係合凸部３２１及び係合凹部３３１を備えている。二つの単位部材Ａの互いの係合凸部３２１及び係合凹部３３１を向き合わせて、一対の単位部材とし、これを水平方向及び又は鉛直方向に、組み立てて雨水貯留浸透施設を作る。当接面３４は、段差があるのでその２側面で荷重を支えることができる。【選択図】図８
2019073855.tif 000002
【特許請求の範囲】
【請求項１】
複数の単位部材を水平方向及び又は鉛直方向に、組み立てて地下に配置して雨水の貯留空間を形成する雨水貯留浸透施設であって、
前記単位部材は、
厚みを有する正方形又は長方形の平板部と、
前記平板部の一側面側の四隅に形成され、他の前記単位部材の前記平板部の四隅と互いに連結するための当接面が形成された連結部と、
前記平板部の四隅に前記平板部と一体的に形成され、前記平板部の他側面側に突出し前記一側面側に開口する中空筒状の脚部と
を有することを特徴とする雨水貯留浸透施設。
【請求項２】
請求項１に記載の雨水貯留浸透施設において、
前記当接面は、前記一側面側から前記他側面側に前記平板部の厚さの１／２の厚さだけ薄く形成された矩形の凹部の底面であり、かつ前記他の単位部材の前記平板部の四隅の側面と接する２側面である
ことを特徴とする雨水貯留浸透施設。
【請求項３】
請求項２に記載の雨水貯留浸透施設において、
前記連結部は、前記他の単位部材の前記連結部と係合するための係合部及び被係合部とを備えたものであり、
前記平板部の対角位置に位置する前記脚部の先端部は、前記他の単位部材の前記脚部と連結するための突出するそれぞれ凸部又は凹部とからなり、
前記脚部は、前記一側面側から前記他側面側の方向に向かって徐々に縮径する円又は角錐台状に形成されている
ことを特徴とする雨水貯留浸透施設。
【請求項４】
請求項３に記載の雨水貯留浸透施設において、
前記脚部の前記凸部と前記凹部同士を連結し、２個からなる一対の単位部材を構成し、前記一対の単位部材と他の一対の単位部材の前記係合部と前記被係合部、及び前記当接面を係合させて、水平方向及び又は鉛直方向に互い違いに組み立てて地下に配置して雨水の貯留空間を形成する
ことを特徴とする雨水貯留浸透施設。
【請求項５】
請求項４に記載の雨水貯留浸透施設において、
最上段の前記単位部材群の上面に敷設された覆土中に埋設され、前記最上段の隣接する前記単位部材の平板部の辺との間に形成された点検口の上部と地表とを連絡して、点検用カメラを点検口に挿入可能な中空体を備えた
ことを特徴とする雨水貯留浸透施設。
【請求項６】
請求項４に記載の雨水貯留浸透施設において、
前記単位部材を縦方向に抜いて、最上段の前記単位部材群の上面から筒状の空間を形成して、地表とを連絡して人孔の点検口を備えた
ことを特徴とする雨水貯留浸透施設。
【発明の詳細な説明】
【技術分野】
【０００１】
本発明は、複数の単位部材を水平方向及び鉛直方向に地下に配置して雨水の貯留空間を形成する雨水貯留浸透施設に関する。更に詳しくは、単位体積当たりの単位部材の使用個数を削減して雨水貯留空間の空隙率を向上させると共に、底から地表面まで鉛直方向に貫通する点検口を多数形成可能にして、雨水貯留浸透施設の点検作業を容易にした雨水貯留浸透施設に関する。
【背景技術】
【０００２】
雨水貯留浸透施設は、道路、公園、駐車場等の公共施設の地下に設置され、プラスチック等で成形された多数の単位部材を、水平方向、鉛直方向に多数積み重ねて構成される。そして、その周囲を透水性及び遮水性のシートで覆い、雨水貯留浸透施設の内部の空隙に雨水を貯留するとともに、鉛直方向の荷重を支える構造部材として種々の構造のものが開発されている。このような雨水貯留浸透施設は、雨水貯留空間の空隙率が大きいものが、貯留する雨水の体積が大きくなるため好ましい。また、使用期間が長くなると、雨水貯留浸透施設の内部に土砂等が蓄積するため、雨水貯留浸透施設の内部の点検が容易で、内部の土砂の除去が容易なことが望ましい。
【０００３】
特許文献１、特許文献２の雨水貯留浸透施設は、雨水貯留浸透施設を構成する単位部材が水平方向及び鉛直方向に密に接触して配置され、単位部材の間を継手部材で接続している。従って、単位体積当たりの重量が増加して、雨水貯留空間の空隙率が低下し、材料費を低減するのが困難であった。
【０００４】
特許文献３の雨水貯留浸透施設は、単位部材を互いに間隔を空けて配置し、隣接する４個の単位部材の角部を継手部材で連結している。更に、４個の単位部材の天井部を天井部材で覆うことで、単位体積当たりの重量を削減すると共に、鉛直方向に貫通する点検口を形成して、雨水貯留浸透施設の点検作業を容易にしている。しかし、特許文献３の雨水貯留浸透施設は、隣接する単位部材を連結するのに継手部材が必要なため、部品点数が増加し、天井部材の上に更に単位部材を積み重ねるのが難しいため、雨水貯留空間の体積を大きくするのが困難である。
【先行技術文献】
【特許文献】
【０００５】
【特許文献１】特開平１０−２５２１０８号公報
【特許文献２】特開平２００２−３０９６５８号公報
【特許文献３】特開２０１０−４８０１０号公報
【発明の概要】
【発明が解決しようとする課題】
【０００６】
本発明は、以上のような背景で発明されたものであり、以下の目的を達成するものである。
本発明の目的は、単位体積当たりの単位部材の使用個数を削減して雨水貯留空間の空隙率を向上させると共に、連結強度の高い雨水貯留浸透施設を提供することにある。
本発明の他の目的は、鉛直方向に貫通する点検口を多数、又は任意の位置に形成可能にして、雨水貯留浸透施設の点検作業を容易にした雨水貯留浸透施設を提供することにある。
【課題を解決するための手段】
【０００７】
本発明は、前記課題を解決するために、次の手段を採る。
即ち、本発明１の雨水貯留浸透施設は、
複数の単位部材を水平方向及び又は鉛直方向に、組み立てて地下に配置して雨水の貯留空間を形成する雨水貯留浸透施設であって、
前記単位部材は、
厚みを有する正方形又は長方形の平板部と、
前記平板部の一側面側の四隅に形成され、他の前記単位部材の前記平板部の四隅と互いに連結するための当接面が形成された連結部と、
前記平板部の四隅に前記平板部と一体的に形成され、前記平板部の他側面側に突出し前記一側面側に開口する中空筒状の脚部とを有することを特徴とする。
【０００８】
本発明２の雨水貯留浸透施設は、本発明１において、前記当接面は、前記一側面側から前記他側面側に前記平板部の厚さの１／２の厚さだけ薄く形成された矩形の凹部の底面であり、かつ前記他の単位部材の前記平板部の四隅の側面と接する２側面であることを特徴とする。
本発明３の雨水貯留浸透施設は、本発明２において、前記連結部は、前記他の単位部材の前記連結部と係合するための係合部及び被係合部とを備えたものであり、前記平板部の対角位置に位置する前記脚部の先端部は、前記他の単位部材の前記脚部と連結するための突出するそれぞれ凸部又は凹部とからなり、前記脚部は、前記一側面側から前記他側面側の方向に向かって徐々に縮径する円又は角錐台状に形成されていることを特徴とする。
【０００９】
本発明４の雨水貯留浸透施設は、本発明３において、前記脚部の前記凸部と前記凹部同士を連結し、２個からなる一対の単位部材を構成し、前記一対の単位部材と他の一対の単位部材の前記係合部と前記被係合部、及び前記当接面を互いに係合させて、水平方向及び又は鉛直方向に互い違いに組み立てて地下に配置して雨水の貯留空間を形成することを特徴とする。
本発明５の雨水貯留浸透施設は、本発明４において、最上段の前記単位部材群の上面に敷設された覆土中に埋設され、前記最上段の隣接する前記単位部材の平板部の辺との間に形成された点検口の上部と地表とを連絡して、点検用カメラを点検口に挿入可能な中空体を備えたことを特徴とする。
【００１０】
本発明６の雨水貯留浸透施設は、本発明４において、前記単位部材を縦方向に抜いて、最上段の前記単位部材群の上面から筒状の空間を形成して、地表とを連絡して人孔の点検口を備えたことを特徴とする。
【発明の効果】
【００１１】
本発明の雨水貯留浸透施設は、単位体積当たりの単位部材の使用個数が削減されるため製造コストが削減され、雨水貯留空間の空隙率も向上するため、雨水貯留体積が増大する。また、一対の単位部材同士を接合する連結部の接合面が３つの面で接合されるので連結が安定し、かつ接合強度も高い。更に、鉛直方向に貫通する点検口を多数、又は任意の位置に形成することが可能となるため、雨水貯留浸透施設の点検作業が容易になる。
【図面の簡単な説明】
【００１２】
【図１】図１は、本発明の雨水貯留浸透施設を示す全体斜視図である。
【図２】図２は、図１の雨水貯留浸透施設の一段目の単位部材群とその下面の空隙を遮蔽する蓋部材を示す斜視図である。
【図３】図３は、図１の雨水貯留浸透施設の二段目の単位部材群とその側面の空隙を遮蔽する側面蓋部材を示す斜視図である。
【図４】図４は、一段目の単位部材群の上に二段目の単位部材群を積み重ねて係合し、一段目の単位部材群と二段目の単位部材群を水平方向及び鉛直方向に連結した状態を示す斜視図である。
【図５】図５は、図１の雨水貯留浸透施設の三段目の単位部材群を示す斜視図である。
【図６】図６は、図１の雨水貯留浸透施設の上面の空隙を遮蔽する蓋部材を示す斜視図である。
【図７】図７は、図１の雨水貯留浸透施設の点検口を遮蔽する蓋部材を示す斜視図である。
【図８】図８は、図１の雨水貯留浸透施設を構成する単位部材Ａを示し、図８（ａ）は正面図、図８（ｂ）は図８（ａ）の右側面図、図８（ｃ）は図８（ａ）のＡ−Ａ断面図である。
【図９】図９は、図１の雨水貯留浸透施設を構成する単位部材Ｂを示し、図９（ａ）は正面図、図９（ｂ）は図９（ａ）の右側面図、図９（ｃ）は図９（ａ）のＢ−Ｂ断面図である。
【図１０】図１０は、図１の雨水貯留浸透施設を構成する単位部材Ｃ１、Ｃ２を示し、図１０（ａ）は単位部材Ｃ１の正面図、図１０（ｂ）は図１０（ａ）の右側面図、図１０（ｃ）は図１０（ａ）のＣ−Ｃ断面図、図１０（ｄ）は単位部材Ｃ２の正面図、図１０（ｅ）は図１０（ｄ）の右側面図、図１０（ｆ）は図１０（ｄ）のＤ−Ｄ断面図である。
【図１１】図１１は、図６の蓋部材を構成する蓋部材Ａを示し、図１１（ａ）は正面図、図１１（ｂ）は図１１（ａ）の右側面図、図１１（ｃ）は図１１（ａ）のＥ−Ｅ断面図である。
【図１２】図１２は、図６の蓋部材を構成する蓋部材Ｂを示し、図１２（ａ）は正面図、図１２（ｂ）は図１２（ａ）の右側面図、図１２（ｃ）は図１２（ａ）のＦ−Ｆ断面図である。
【図１３】図１３は、図６の蓋部材を構成する蓋部材Ｃを示し、図１３（ａ）は正面図、図１３（ｂ）は図１３（ａ）の右側面図、図１３（ｃ）は図１３（ａ）のＧ−Ｇ断面図である。
【図１４】図１４は、図７の点検口を遮蔽する蓋部材Ｄを示し、図１４（ａ）は正面図、図１４（ｂ）は図１４（ａ）の右側面図、図１４（ｃ）は図１４（ａ）のＨ−Ｈ断面図である。
【図１５】図１５は、側面蓋部材Ａを示し、図１５（ａ）は正面図、図１５（ｂ）は図１５（ａ）の右側面図、図１５（ｃ）は図１５（ａ）の平面図である。
【図１６】図１６は、側面蓋部材Ｂを示し、図１６（ａ）は正面図、図１６（ｂ）は図１６（ａ）の右側面図、図１６（ｃ）は図１６（ａ）の平面図である。
【図１７】図１７は、雨水貯留浸透施設の上面に敷設された覆土中に埋設した点検用カメラ用の点検口の縦断面図である。
【図１８】図１８は、雨水貯留浸透施設に点検用人孔用の点検口を設けた例であり、図１８（ａ）は図１８（ｂ）のａ−ａ線で切断したときの雨水貯留浸透施設の最上段の平面図であり、図１８（ｂ）は点検用人孔用の点検口近傍の縦断面図である。
【発明を実施するための形態】
【００１３】
以下、本発明の実施の形態を図面に基づいて説明する。図１は本発明の雨水貯留浸透施設を示す全体斜視図、図２は図１の雨水貯留浸透施設の一段目の単位部材群とその下面の空隙を遮蔽する蓋部材を示す斜視図である。図３は図１の雨水貯留浸透施設の二段目の単位部材群を示す斜視図、図４は一段目の単位部材群の上に二段目の単位部材群を積み重ねて係合し、一段目の単位部材群と二段目の単位部材群を水平方向及び鉛直方向に連結した状態を示す斜視図である。図５は、図１の雨水貯留浸透施設の三段目の単位部材群を示す斜視図である。図１から図５に示すように、図１に示す本発明の雨水貯留浸透施設１は地下に掘って形成した空間に組み立てて設置され、図２の一段目の単位部材群１１、図３の二段目の単位部材群１２、図５の三段目の単位部材群１３を積み重ねて係合し、一段目の単位部材群１１、二段目の単位部材群１２、三段目の単位部材群１３を水平方向及び鉛直方向に連結して構成されている。
【００１４】
［単位部材Ａ］
一段目の単位部材群１１、二段目の単位部材群１２、三段目の単位部材群１３は、図８の単位部材Ａ…２１、図９の単位部材Ｂ…２２、図１０の単位部材Ｃ１…２３、単位部材Ｃ２…２４で構成されている。単位部材Ａ…２１、単位部材Ｂ…２２、単位部材Ｃ１…２３、単位部材Ｃ２…２４は、ポリプロピレン等の合成樹脂で成形されている。図８に示すように単位部材Ａ…２１には、正方形の平板部３１、中空筒状の４個の脚部３２、３２、３３、３３が一体的に形成されている。脚部３２、３２、３３、３３は、平板部３１の四隅に等間隔に一体的に形成され、平板部３１の一側面３１１側に突出し他側面３１２側に開口している。脚部３２、３２、３３、３３は、一側面３１１側に向かって徐々に縮径する円錐台状に形成されている。脚部３２、３２は、平板部３１の一方の対角線上に形成され、脚部３３、３３は他方の対角線上に形成されている。
【００１５】
また、一方の脚部３２、３２の突出端には円錐台状の係合凸部３２１が形成され、他方の脚部３３、３３の突出端には、係合凸部３２１に係合可能な円錐台状の係合凹部３３１が形成されている。脚部３２、３２、３３、３３の突出端には、８個の小径の貫通穴３９が形成され、これは脚部３２、３２、３３、３３の中空筒部に入った水が脚部３２、３２、３３、３３の外に抜けるようにするためである。一個の単位部材Ａ…２１の脚部３２、３２、３３、３３の突出端を鉛直方向の上方にし、もう一個の単位部材Ａ…２１の脚部３２、３２、３３、３３の突出端を鉛直方向の下方にして鉛直方向に二段積み重ねる。次に、脚部３２、３２の端部にある係合凸部３２１を脚部３３、３３の係合凹部３３１に係合させれば、上下一対の単位部材Ａ…２１、２１を鉛直方向に連結することができる。係合凸部３２１と係合凹部３３１の連結は、従来のようなピン結合ではなく、面積の広いテーパー面結合なので、曲げに対する強度が大きくなるため、好ましい。
【００１６】
単位部材Ａ…２１の平板部３１の他側面３１２側の四隅には、一辺の長さがＬ１で正方形の凹みである当接面３４が形成されている。凹みは、２側面を備えている。当接面３４は、平板部３１の四隅に、各辺に沿って等間隔に形成され、平板部３１の厚さＨの半分の長さだけ一側面３１１側に凹んで形成されている。２側面は、他の単位部材Ａの当接面３４と接すると、他の単位部材Ａの隅部の側面と接して、横方向の荷重を受け止める。即ち、他側面３１２より当接面３４が窪んでいるので、単位部材Ａを連結して組立てた雨水貯留浸透施設は、雨水が流入したときの側面からの動圧、又は土圧による静圧が負荷されても機械強度が強くなる。この理由は、矩形である当接面３４の２側面の段差が側圧を受け止めるためである。この当接面３４には、２個の係合部３５と２個の被係合部３６が形成されている。係合部３５は、当接面３４から平板部３１の他側面３１２側に突出する凸部であり、被係合部３６は、当接面３４に開口する凹部である。２個の係合部３５と２個の被係合部３６は、脚部３２、３２、３３、３３と同心の同一円周上に９０度間隔に配置されている。係合部３５と被係合部３６は、同一対角線上に向かい合って形成されている。
【００１７】
図８に示すように、正方形の平板部３１の一辺の長さは、２Ｌ１＋Ｌ２である。以上の単位部材Ａの説明から理解されるように、単位部材Ａは、正方形の平板部３１の中心を通り、平板部３１の面に直角の線を中心とする対称形である。一つの単位部材Ａの脚部３２、３２の突出端係合凸部３２１を、他方の単位部材Ａの脚部３３、３３の突出端の係合凹部３３１に挿入して、一対の単位部材Ａを組み立てる。本発明の雨水貯留浸透施設の構造は、この二つの単位部材Ａを組み立てた一対の単位部材Ａを、鉛直方向と水平方向に互い違いに組み立てたものが基本構造である。一対の単位部材Ａの外形は、正方体、又は長方体状である。即ち、雨水貯留浸透施設は、概略すると、正方体、又は長方体状を隙間を有して、水平と鉛直に積み上げた構造となる。但し、小規模の雨水貯留浸透施設の場合は、隙間を空けず一平面に敷き詰めた構造であってもよい。
【００１８】
［単位部材Ｂ］
図９に示す単位部材Ｂ…２２と、上記した単位部材Ａ…２１との主な相違点は、単位部材Ｂ…２２には、２個の脚部３２、３３が形成されていることである。即ち、単位部材Ｂ…２２は、長方形の平板部３７と、中空筒状の２個の脚部３２、３３が一体的に形成されている。単位部材Ｂは、メインの単位部材Ａを組立てて箱形の雨水貯留浸透施設とする場合、どうしても角部に段差（隙間）が発生する。単位部材Ｂは、この端部の段差が発生しないように埋めるためのものである。脚部３２、３３は、平板部３７の二隅に一体的に形成され、平板部３７の一側面３７１側に突出し他側面３７２側に開口している。脚部３２、３３は、一側面３７１側に向かって徐々に縮径する内部が空洞で、肉厚が一定の円錐台状に形成されている。単位部材Ｂ…２２の脚部３２、３３は、その先端を除いて、単位部材Ａ…２１の脚部３２、３３と同一形状である。
【００１９】
一方の脚部３２の突出端には係合凸部３２１が形成され、他方の脚部３３の突出端には、係合凸部３２１に係合可能な係合凹部３３１が形成されている。脚部３２、３３の突出端には、８個の小径の貫通穴３９が形成され、脚部３２、３３内から水が外に抜けるようにしている。一個の単位部材Ｂ…２２の脚部３２、３３の突出端を鉛直方向の上方にし、もう一個の単位部材Ｂ…２２の脚部３２、３３の突出端を鉛直方向の下方にして鉛直方向に二段積み重ねる。次に、脚部３２の係合凸部３２１を脚部３３の係合凹部３３１に係合させれば、上下一対の単位部材Ｂ…２２、２２を、鉛直方向に連結することができる。単位部材Ｂ…２２の平板部３７の他側面３７２側の二隅には、一辺の長さがＬ１で正方形の当接面３４が形成されている。当接面３４は、平板部３７の厚さＨの半分の長さだけ一側面３７１側に凹んで形成されている（図９（ｂ））。
【００２０】
この当接面３４には、２個の係合部３５と２個の被係合部３６が形成されている。係合部３５は、当接面３４から平板部３７の他側面３７２側に突出する凸部であり、被係合部３６は、当接面３４に開口する凹部である。２個の係合部３５と２個の被係合部３６は、脚部３２、３３と同心の同一円周上に９０度間隔に配置されている。係合部３５と被係合部３６は、同一対角線上に向かい合って形成されている。図９に示すように、長方形の平板部３７の長辺の長さは２Ｌ１＋Ｌ２で、短辺の長さはＬ１である。即ち、単位部材Ａ…２１の正方形の平板部３１の一辺の長さと、単位部材Ｂ…２２の平板部３７の長辺の長さは同一長さに形成されている。
【００２１】
［単位部材Ｃ１、単位部材Ｃ２］
図１０に示す単位部材Ｃ１…２３、単位部材Ｃ２…２４と単位部材Ｂ…２２との主な相違点は、単位部材Ｃ１…２３、単位部材Ｃ２…２４には１個の脚部３２または３３が形成されていることである。即ち、単位部材Ｃ１…２３、単位部材Ｃ２…２４には一辺の長さがＬ１で正方形の平板部３８が形成されている。単位部材Ｃ１及び単位部材Ｃ２は、単位部材Ｂと同様に、箱形の雨水貯留浸透施設とする場合、どうしても角部に段差が発生する。単位部材Ｃ１及び単位部材Ｃ２は、この角部の段差（隙間）が発生しないように埋めるためのものである。単位部材Ｃ１…２３には、中空筒状の１個の脚部３２が一体的に形成されている。また、単位部材Ｃ２…２４には、中空筒状の１個の脚部３３が一体的に形成されている。脚部３２、３３は、平板部３８に一体的に形成され、平板部３８の一側面３８１側に突出し他側面３８２側に開口している。脚部３２、３３は、一側面３８１側に向かって徐々に縮径する円錐台状に形成されている。脚部３２の突出端には係合凸部３２１が形成され、脚部３３の突出端には、係合凸部３２１に係合可能な係合凹部３３１が形成されている。脚部３２、３３の突出端には、各々８個の小径の貫通穴３９が形成され、脚部３２、３３内から水が外に抜けるようにしている。
【００２２】
単位部材Ｃ１…２３の脚部３２の突出端を鉛直方向の上方にし、単位部材Ｃ２…２４の脚部３３の突出端を鉛直方向の下方にして鉛直方向に二段積み重ねる。次に、脚部３２の係合凸部３２１を脚部３３の係合凹部３３１に係合させれば、単位部材Ｃ１…２３と単位部材Ｃ２…２４を水平方向及び鉛直方向に連結することができる。単位部材Ｃ１…２３、単位部材Ｃ２…２４の平板部３８の他側面３８２側には、一辺の長さがＬ１で正方形の当接面３４が形成されている。当接面３４は、単位部材Ａ…２１、単位部材Ｂ…２２の当接面３４と同じ厚さのＨ／２に形成されている。この当接面３４には、２個の係合部３５と２個の被係合部３６が形成されている。係合部３５は、当接面３４から平板部３８の他側面３８２側に突出する凸部であり、被係合部３６は、当接面３４に開口する凹部である。２個の係合部３５と２個の被係合部３６は、脚部３２、３３と同心の同一円周上に９０度間隔に配置されている。係合部３５と被係合部３６は、同一対角線上に向かい合って形成されている。単位部材Ａ…２１、単位部材Ｂ…２２、単位部材Ｃ１…２３、単位部材Ｃ２…２４は、脚部３２、３３が中空で円錐台状に形成されているため、運搬時にコンパクトに積み重ねることが可能なので、輸送コストを低減することができる。
【００２３】
以下、単位部材Ａ、単位部材Ｂ、及び単位部材Ｃ１及びＣ２等により、箱形の雨水貯留浸透施設を組み立てる順序を説明する。
［一段目の単位部材群１１］
図２に示す一段目の単位部材群１１は、９個の二段積み単位部材Ａ…２１を、本例では水平面上に格子状に等間隔に３列３行配置している。隣接する二段積み単位部材Ａ…２１の平板部３１の辺の間の間隔はＬ２に設定されている。更に、３個の二段積み単位部材Ｂ…２２を、二段積み単位部材Ａ…２１の図２の奥側の列と行に各々平行に等間隔に配置している。二段積み単位部材Ｂ…２２と隣接する二段積み単位部材Ａ…２１との間の間隔は、同じＬ２に設定されている。また、隣接する二段積み単位部材Ｂ…２２の平板部３７の辺の間の間隔も同じＬ２に設定されている。更に、１個の二段積み単位部材Ｃ１…２３、単位部材Ｃ２…２４を、３個の二段積み単位部材Ｂ…２２の交点に配置している。二段積み単位部材Ｃ１…２３、単位部材Ｃ２…２４の平板部３８の辺と、二段積み単位部材Ｂ…２２の平板部３７の辺との間の間隔も同じＬ２に設定されている。即ち、一段目の単位部材群１１は、二段積みした単位部材Ａ…２１、単位部材Ｂ…２２、単位部材Ｃ１…２３、単位部材Ｃ２…２４を、全て同一の間隔Ｌ２で格子状に配置している。
【００２４】
［蓋部材Ａ］
図２に示すように、蓋部材Ａは雨水貯留浸透施設の底部を塞ぐものである。図１１に示すものはこの細部であり、一段目の単位部材群１１の下面の空隙は、図１１の蓋部材Ａ、図１２に示す蓋部材Ｂ、図１３に示す蓋部材Ｃを取り付けて遮蔽する。図１１に示すように蓋部材Ａ…５１には、正方形の平板部６１が形成されている。平板部６１の一側面６１１は平坦に形成され、他側面６１２側の四隅には、一辺の長さがＬ１で正方形の当接面６４が形成されている。当接面６４は、平板部６１の四隅に等間隔に形成され、平板部６１の厚さＨの半分の長さだけ一側面６１１側に凹んで形成されている。平板部６１の厚さＨは、図８の単位部材Ａの平板部３１の厚さＨと同一である。この当接面６４には、２個の係合部６５と２個の被係合部６６が形成されている。係合部６５は、当接面６４から平板部６１の他側面６１２側に突出する凸部であり、被係合部６６は、当接面６４に開口する凹部である。２個の係合部６５と２個の被係合部６６は、図８に示す単位部材Ａの係合部３５と被係合部３６と同一形状で、単位部材Ａの係合部３５、被係合部３６と同一位置に形成されている。図１１に示すように、正方形の平板部６１の一辺の長さは、２Ｌ１＋Ｌ２で、図８の単位部材Ａの平板部３１の一辺の長さと同一である。
【００２５】
［蓋部材Ｂ］
図２に示すように、蓋部材Ｂは雨水貯留浸透施設の底部の端部を塞ぐ（固定）ものである。図１２に示すものはこの細部であり、蓋部材Ｂ…５２には長方形の平板部６７が形成されている。蓋部材Ｂ…５２の平板部６７の一側面６７１は平坦に形成され、他側面６７２側の二隅には、一辺の長さがＬ１で正方形の当接面６４が形成されている。当接面６４は、平板部６７の厚さＨの半分の長さだけ一側面６７１側に凹んで形成されている。この当接面６４には、２個の係合部６５と２個の被係合部６６が形成されている。係合部６５は、当接面６４から平板部６７の他側面６７２側に突出する凸部であり、被係合部６６は、当接面６４に開口する凹部である。２個の係合部６５と２個の被係合部６６は、図９の単位部材Ｂの係合部３５、被係合部３６と同一形状で、単位部材Ｂの係合部３５、被係合部３６と同一位置に形成されている。図１２に示すように、長方形の平板部６７の長辺の長さは２Ｌ１＋Ｌ２で、短辺の長さはＬ１である。即ち、平板部６７の長辺と短辺の長さは、単位部材Ｂ…２２の長辺と短辺の長さと同一長さに形成されている。
【００２６】
［蓋部材Ｃ］
図２に示すように、蓋部材Ｃは雨水貯留浸透施設の底部の角を塞ぐものである。図１３に示すように、蓋部材Ｃ…５３には一辺の長さがＬ１で正方形の平板部６８が形成されている。蓋部材Ｃ…５３の平板部６８の一側面６８１は平坦に形成され、平板部６８の他側面６８２側には、一辺の長さがＬ１で正方形の当接面６４が形成されている。当接面６４は、蓋部材Ａ…５１、蓋部材Ｂ…５２の当接面６４と同じ厚さのＨ／２に形成されている。この当接面６４には、２個の係合部６５と２個の被係合部６６が形成されている。係合部６５は、当接面６４から平板部６８の他側面６８２側に突出する凸部であり、被係合部６６は、当接面６４に開口する凹部である。２個の係合部６５と２個の被係合部６６は、図１０の単位部材Ｃの係合部６５、被係合部６６と同一形状で、単位部材Ｃの係合部３５、被係合部３６と同一位置に形成されている。
【００２７】
前述したように、図２の手前側の角に配置された単位部材Ａ…２１の手前側の角の当接面３４に蓋部材Ｃ…５３を載置する。そして、単位部材Ａ…２１の係合部３５、被係合部３６に蓋部材Ｃ…５３の係合部６５、被係合部６６を係合させて、単位部材Ａ…２１の当接面３４に蓋部材Ｃ…５３を固定する。その結果、単位部材Ａ…２１の手前側の角に配置された脚部３２または３３の開口部が遮蔽される。また、図２の手前側の行と列に配置された単位部材Ａ…２１、単位部材Ｂ…２２の手前側の当接面３４、３４に蓋部材Ｂ…５２を載置する。そして、単位部材Ａ…２１、単位部材Ｂ…２２の係合部３５、被係合部３６に蓋部材Ｂ…５２の係合部６５、被係合部６６を係合させて、単位部材Ａ…２１、単位部材Ｂ…２２の当接面３４、３４に蓋部材Ｂ…５２を固定する。
【００２８】
その結果、単位部材Ａ…２１、単位部材Ｂ…２２の手前側に配置された脚部３２または３３の開口部が遮蔽される。更に、上記以外の単位部材Ａ…２１、単位部材Ｂ…２２、単位部材Ｃ１、Ｃ２…２３、２４の隣接する４個の当接面３４、３４、３４、３４に、蓋部材Ａ…５１を載置する。そして、単位部材Ａ…２１、単位部材Ｂ…２２、単位部材Ｃ１、Ｃ２…２３、２４の係合部３５、被係合部３６に蓋部材Ａ…５１の係合部６５、被係合部６６を係合させて、単位部材Ａ…２１、単位部材Ｂ…２２、単位部材Ｃ１、Ｃ２…２３、２４の当接面３４、３４、３４、３４に、蓋部材Ａ…５１を固定する。その結果、単位部材Ａ…２１、単位部材Ｂ…２２、単位部材Ｃ１、Ｃ２…２３、２４の隣接する４個の脚部３２、３２、３３、３３の開口部が遮蔽される。
【００２９】
［二段目の単位部材群１２］
図３に示す二段目の単位部材群１２は、図２の一段目の単位部材群１１と同様に９個の二段積み単位部材Ａ…２１を、水平面上に格子状に等間隔に３列３行配置している。隣接する二段積み単位部材Ａ…２１の平板部３１の辺の間の間隔はＬ２に設定されている。更に、３個の二段積み単位部材Ｂ…２２を、二段積み単位部材Ａ…２１の図３の手前側の列と行に各々平行に等間隔に配置している。二段積み単位部材Ｂ…２２と隣接する二段積み単位部材Ａ…２１との間の間隔は、同じＬ２に設定されている。また、隣接する二段積み単位部材Ｂ…２２の平板部３７の辺の間の間隔も同じＬ２に設定されている。更に、１個の二段積み単位部材Ｃ１…２３、単位部材Ｃ２…２４を、３個の二段積み単位部材Ｂ…２２の交点に配置している。二段積み単位部材Ｃ１…２３、単位部材Ｃ２…２４の平板部３８の辺と、二段積み単位部材Ｂ…２２の平板部３７の辺との間の間隔も同じＬ２に設定されている。即ち、二段目の単位部材群１２と一段目の単位部材群１１との相違点は、二段目の単位部材群１２は、二段積み単位部材Ｂ…２２、二段積み単位部材Ｃ１…２３、単位部材Ｃ２…２４を、二段積み単位部材Ａ…２１の手前側の列と行に各々平行に配置していることである。
【００３０】
［側面蓋部材Ａ］
図３に示すように、側面蓋部材Ａは雨水貯留浸透施設の側部を塞ぐものである。雨水貯留浸透施設の二段目の単位部材群１２の側面の空隙は、図１５に示す側面蓋部材Ａ、図１６に示す側面蓋部材Ｂを取り付けて遮蔽する。図１５に示すように側面蓋部材Ａ…５５には、長方形の平板部８１が形成されている。平板部８１の一側面８１１は平坦に形成され、他側面８１２側の上方（図１５（ａ）、（ｂ）の上方）には、他側面８１２よりも突出した当接面８１３が形成されている。当接面８１３には、図１５（ａ）の左右方向の両端に各々２個の係合部８２が形成されている。係合部８２は、当接面８１３から突出する凸部であり、単位部材Ｂの平板部３７の一側面３７１に係合可能である。他側面８１２側の下方（図１５（ａ）、（ｂ）の下方）には、他側面８１２から突出した２個の当接突起８３Ａと２個の当接突起８３Ｂが形成されている。当接突起８３Ａ、当接突起８３Ｂは、単位部材Ａ、単位部材Ｂ、単位部材Ｃ１、Ｃ２の円錐台状の脚部３２、３３の外周面に当接可能である。突出量の少ない当接突起８３Ａ、８３Ａは、脚部３２、３３の大径外周面に当接可能である。突出量の大きい当接突起８３Ｂ、８３Ｂは、脚部３２、３３の小径外周面に当接可能である。
【００３１】
平板部８１の一端面（図１５（ａ）、（ｂ）の上方）８１４には、４５度の傾斜当接面８４Ａが形成されている。傾斜当接面８４Ａは一側面８１１側に面している。また、平板部８１の他端面（図１５（ａ）、（ｂ）の下方）８１５には、４５度の傾斜当接面８４Ｂが形成されている。傾斜当接面８４Ｂは、他側面８１２側に面している。傾斜当接面８４Ｂには２個の係合溝８４１Ｂ、８４２Ｂと、２個の係合突起８４３Ｂ、８４４Ｂが形成されている。係合溝８４１Ｂ、８４２Ｂは、傾斜当接面８４Ｂを切り欠いて形成した矩形の溝である。係合突起８４３Ｂ、８４４Ｂは、傾斜当接面８４Ｂから他側面８１２側に突出し、他側面８１２と同一平面上に形成された矩形の突起である。係合突起８４３Ｂ、８４４Ｂには、同一形状の係合部８４５Ｂ、８４６Ｂが形成されている。係合部８４５Ｂ、８４６Ｂは、他側面８１２から突出して形成されている。
【００３２】
傾斜当接面８４Ａには、２個の係合突起８４１Ａ、８４２Ａと、２個の係合溝８４３Ａ、８４４Ａが形成されている。係合突起８４１Ａ、８４２Ａは、傾斜当接面８４Ａから一側面８１１側に突出し、一側面８１１と同一平面上に形成された矩形の突起である。係合溝８４３Ａ、８４４Ａは、傾斜当接面８４Ａを削除して形成した矩形の溝である。係合溝８４３Ａ、８４４Ａの底面には、矩形の係合穴８４５Ａ、８４６Ａが形成されている。係合穴８４５Ａ、８４６Ａは、当接面８１３に開口している。図３に示すように、二段目の単位部材群１２の手前右側の側面に、手前の角から順に側面蓋部材Ａを並べて６個取り付ける。側面蓋部材Ａの短辺（図１５（ｂ）の上下方向の辺）の長さＬ５はＬ１＋Ｌ２＋Ｌ４に設定されている。Ｌ４は、側面蓋部材Ａの傾斜当接面８４Ａ、傾斜当接面８４Ｂの短辺方向の長さである。図３で、単位部材Ｂ…２２を鉛直方向に二段積み重ねた高さをＨ１とすると、図１５の側面蓋部材Ａの長辺（図１５（ａ）の左右方向の辺）の長さＬ６は、Ｈ１−Ｈに設定されている。Ｈは単位部材Ｂ…２２の平板部３７の厚さである。
【００３３】
図３の一番手前側の側面蓋部材Ａの傾斜当接面８４Ａに、一つ奥側の側面蓋部材Ａの傾斜当接面８４Ｂを重ねる。すると、一番手前側の側面蓋部材Ａの係合突起８４１Ａ、８４２Ａに、一つ奥側の側面蓋部材Ａの係合溝８４１Ｂ、８４２Ｂが係合する。また、一番手前側の側面蓋部材Ａの係合溝８４３Ａ、８４４Ａに、一つ奥側の側面蓋部材Ａの係合突起８４３Ｂ、８４４Ｂが係合する。同時に、一番手前側の側面蓋部材Ａの係合穴８４５Ａ、８４６Ａに、一つ奥側の側面蓋部材Ａの係合部８４５Ｂ、８４６Ｂが係合して、一番手前側の側面蓋部材Ａと一つ奥側の側面蓋部材Ａが連結される。同じ手順で、二段目の単位部材群１２の手前右側の側面に合計６個の側面蓋部材Ａを取り付ける。
【００３４】
次に、図３に示すように、二段目の単位部材群１２の手前左側の側面の角に、上下を反転した側面蓋部材Ａを１個取り付ける。上下を反転した側面蓋部材Ａの当接突起８３Ａ、８３Ｂは、単位部材Ｃ１、Ｃ２の円錐台状の脚部３２、３３の外周面に当接する。また上下を反転した側面蓋部材Ａの係合部８２、８２は、一段目の単位部材Ａ、三段目の単位部材Ａの平板部３１の他側面３１２、３１２に係合する。そして、図３の手前右側の側面の角の側面蓋部材Ａの傾斜当接面８４Ｂに上下を反転した側面蓋部材Ａの傾斜当接面８４Ｂを重ねる。すると、手前右側の側面の角の側面蓋部材Ａの係合溝８４１Ｂ、８４２Ｂに上下を反転した側面蓋部材Ａの係合突起８４３Ｂ、８４４Ｂが係合する。同時に、手前右側の側面の角の側面蓋部材Ａの係合突起８４３Ｂ、８４４Ｂに上下を反転した側面蓋部材Ａの係合溝８４１Ｂ、８４２Ｂが係合する。その結果、手前右側の側面の角の側面蓋部材Ａと上下を反転した側面蓋部材Ａが連結される。図示はしていないが、二段目の単位部材群１２の手前左側の側面には、手前左側の側面の角の上下を反転した側面蓋部材Ａに続けて、上下を反転した側面蓋部材Ａを５個取り付け、手前左側の側面の空隙を遮蔽する。
【００３５】
［側面蓋部材Ｂ］
図３に示すように、側面蓋部材Ｂは雨水貯留浸透施設の角部を塞ぐものである。二段目の単位部材群１２の手前右側の側面に６個の側面蓋部材Ａを取り付けると、二段目の単位部材群１２の手前右側の側面の奥側の角には長さＬ１の空隙が残るので、図１６の側面蓋部材Ｂを取り付けて遮蔽する。図１６に示すように側面蓋部材Ｂ…５６には、長方形の平板部８５が形成されている。平板部８５の一側面８５１と他側面８５２は平坦に形成されている。他側面８５２には、図１６（ａ）、（ｂ）の上下方向の中央部に、他側面８５２から突出した２個の当接突起８３Ａと２個の当接突起８３Ｂが形成されている。当接突起８３Ａ、当接突起８３Ｂは、上記した側面蓋部材Ａの当接突起８３Ａ、当接突起８３Ｂと同一形状で、同一の機能を有している。
【００３６】
平板部８５の一端面（図１６（ａ）、（ｂ）の上方）８５４には、４５度の傾斜当接面８６Ａが形成されている。傾斜当接面８６Ａは側面蓋部材Ａの傾斜当接面８４Ａとは逆方向の傾斜で、他側面８５２側に面している。また、平板部８５の他端面（図１６（ａ）、（ｂ）の下方）８５５には、４５度の傾斜当接面８６Ｂが形成されている。傾斜当接面８６Ｂも他側面８５２側に面している。傾斜当接面８６Ａ、傾斜当接面８６Ｂは、図１６（ａ）の上下方向に対称形状に形成されている。即ち、傾斜当接面８６Ｂには２個の係合溝８６１Ｂ、８６２Ｂと、２個の係合突起８６３Ｂ、８６４Ｂが形成されている。係合溝８６１Ｂ、８６２Ｂは、傾斜当接面８６Ｂを切り欠いて形成した矩形の溝である。係合突起８６３Ｂ、８６４Ｂは、傾斜当接面８６Ｂから他側面８５２側に突出し、他側面８５２と同一平面上に形成された矩形の突起である。係合突起８６３Ｂ、８６４Ｂには、同一形状の係合部８６５Ｂ、８６６Ｂが形成されている。係合部８６５Ｂ、８６６Ｂは、他側面８５２から突出して形成されている。
【００３７】
傾斜当接面８６Ａにも傾斜当接面８６Ｂと同様に、２個の係合溝８６１Ａ、８６２Ａと、２個の係合突起８６３Ａ、８６４Ａが形成されている。係合溝８６１Ａ、８６２Ａは、傾斜当接面８６Ａを切り欠いて形成した矩形の溝である。係合突起８６３Ａ、８６４Ａは、傾斜当接面８６Ａから他側面８５２側に突出し、他側面８５２と同一平面上に形成された矩形の突起である。係合突起８６３Ａ、８６４Ａには、同一形状の係合部８６５Ａ、８６６Ａが形成されている。係合部８６５Ａ、８６６Ａは、他側面８５２から突出して形成されている。側面蓋部材Ｂの短辺（図１６（ｂ）の上下方向の辺）の長さＬ７はＬ１＋Ｌ４＋Ｌ４に設定されている。Ｌ４は、側面蓋部材Ｂの傾斜当接面８６Ａ、傾斜当接面８６Ｂの短辺方向の長さである。側面蓋部材Ｂの長辺（図１６（ａ）の左右方向の辺）の長さＬ６は、側面蓋部材Ａの長辺の長さと同一で、Ｈ１−Ｈに設定されている。
【００３８】
図３に示す一番奥側の側面蓋部材Ａの傾斜当接面８４Ａに、側面蓋部材Ｂの傾斜当接面８６Ｂを重ねる。すると、側面蓋部材Ａの係合突起８４１Ａ、８４２Ａに、側面蓋部材Ｂの係合溝８６１Ｂ、８６２Ｂが係合する。また、側面蓋部材Ａの係合溝８４３Ａ、８４４Ａに、側面蓋部材Ｂの係合突起８６３Ｂ、８６４Ｂが係合する。同時に、側面蓋部材Ａの係合穴８４５Ａ、８４６Ａに、側面蓋部材Ｂの係合部８６５Ｂ、８６６Ｂが係合して、側面蓋部材Ａと側面蓋部材Ｂが連結される。
【００３９】
次に、図３に示すように、二段目の単位部材群１２の奥右側の側面の角に、上下を反転した側面蓋部材Ｂを１個取り付ける。上下を反転した側面蓋部材Ｂの当接突起８３Ａ、８３Ｂは、単位部材Ｂの円錐台状の脚部３２、３３の外周面に当接する。そして、図３の手前右側の側面の奥側の角の側面蓋部材Ｂの傾斜当接面８６Ａに、上下を反転した側面蓋部材Ｂの傾斜当接面８６Ａを重ねる。すると、手前右側の側面の奥側の角の側面蓋部材Ｂの係合溝８６１Ａ、８６２Ａに上下を反転した側面蓋部材Ｂの係合突起８６３Ａ、８６４Ａが係合する。また、手前右側の側面の奥側の角の側面蓋部材Ｂの係合突起８６３Ａ、８６４Ａに上下を反転した側面蓋部材Ｂの係合溝８６１Ａ、８６２Ａが係合する。その結果、手前右側の側面の奥側の角の側面蓋部材Ｂと上下を反転した側面蓋部材Ｂが連結される。図示はしていないが、二段目の単位部材群１２の奥右側の側面には、上下を反転した側面蓋部材Ｂに続けて、上下を反転した側面蓋部材Ａを５個取り付け、奥右側の側面の空隙を遮蔽する。
【００４０】
上記した手順で、全ての段の単位部材群の側面の空隙を、側面蓋部材Ａと側面蓋部材Ｂの２種類の部材で遮蔽することができる。上記したように、単位部材群の側面を複数の側面蓋部材Ａで最初に遮蔽し、角の部分で長さＬ１の空隙が残った部分は、１個の側面蓋部材Ｂを取り付けて遮蔽する。また、最初に遮蔽した側面に隣接する側面の角の部分は、上下反転した１個の側面蓋部材Ｂ、または上下反転した１個の側面蓋部材Ａを取り付けて遮蔽する。
【００４１】
［一段目の単位部材群１１の上に二段目の単位部材群１２を連結］
図４に示すように、一段目の単位部材群１１の上に二段目の単位部材群１２を連結する。図４に示すように、二段目の単位部材群１２の単位部材Ａは、一段目の単位部材群１１の単位部材Ａに対して、列方向と行方向にＬ１＋Ｌ２だけ奥側にずれて配置されている。従って、一段目の単位部材群１１の隣接する４個の単位部材Ａの当接面３４にまたがって二段目の単位部材群１２の単位部材Ａの当接面３４が当接する。その結果、一段目の単位部材Ａと、二段目の単位部材Ａの２個の係合部３５と２個の被係合部３６が互いに係合（連結）して、一段目の単位部材Ａと二段目の単位部材Ａが水平方向及び鉛直方向に連結される。当接面３４は、平板部３１の厚さＨの半分の長さだけ一側面３１１側に凹んで形成されている。従って、一段目の単位部材群１１と二段目の単位部材群１２の当接面３４を当接させて連結すると、一段目の単位部材群１１と二段目の単位部材群１２の平板部３１が同一平面上に整列する。その結果、連結部の剪断面積が大きくなり、強度が増すため、特に水平方向からの荷重に対する強度が向上する。
【００４２】
同様に、二段目の単位部材群１２の単位部材Ｂは、一段目の単位部材群１１の単位部材Ａに対して、列方向と行方向にＬ１＋Ｌ２だけずれて配置されている。従って、一段目の単位部材群１１の隣接する２個の単位部材Ａの当接面３４にまたがって二段目の単位部材群１２の単位部材Ｂの当接面３４が当接する。その結果、一段目の単位部材Ａと二段目の単位部材Ｂの２個の係合部３５と２個の被係合部３６が互いに係合して、一段目の単位部材Ａと二段目の単位部材Ｂが水平方向及び鉛直方向に連結される。また、二段目の単位部材群１２の単位部材Ｃ１、Ｃ２は、一段目の単位部材群１１の単位部材Ａの手前側の角に配置されている。従って、一段目の単位部材群１１の角の単位部材Ａの角の当接面３４に二段目の単位部材群１２の単位部材Ｃ１、Ｃ２の当接面３８が当接する。その結果、一段目の単位部材Ａと二段目の単位部材Ｃ１、Ｃ２の２個の係合部３５と２個の被係合部３６が互いに係合して、一段目の単位部材Ａと二段目の単位部材Ｃ１、Ｃ２が水平方向及び鉛直方向に連結される。その結果、二段目の単位部材群１２は一段目の単位部材群１１に水平方向及び鉛直方向に連結される。すると、鉛直方向に貫通する平面視が正方形の点検口４が形成される。点検口４は、隣接する単位部材Ａ…２１の平板部３１の辺の間に形成される。点検口４は一辺の長さがＬ２の正方形で、等間隔に９個形成される。
【００４３】
［二段目の単位部材群１２の上に三段目の単位部材群１３を連結］
図４に示す二段目の単位部材群１２の上に図５に示す三段目の単位部材群１３を連結して三段にする。図５に示す三段目の単位部材群１３は、図２に示す一段目の単位部材群１１と全く同一の構成なので、三段目の単位部材群１３の詳細な説明は省略する。三段目の単位部材群１３の単位部材Ａは、二段目の単位部材群１２の単位部材Ａに対して、列方向と行方向にＬ１＋Ｌ２だけ手前側にずれて配置されている。従って、三段目の単位部材群１３の手前側の角の単位部材Ａの当接面３４が、二段目の単位部材群１２の単位部材Ｃ１、Ｃ２の当接面３８、単位部材Ｃ１、Ｃ２に隣接する２個の単位部材Ｂの当接面３４、３４、単位部材Ｃ１、Ｃ２に隣接する１個の単位部材Ａの当接面３４に当接する。その結果、三段目の手前側の角の単位部材Ａが二段目の単位部材群１２に係合して、水平方向及び鉛直方向に連結される。
【００４４】
三段目の単位部材群１３の手前側の行と列の単位部材Ａの当接面３４は、二段目の単位部材群１２の手前側の行と列の単位部材Ｂの当接面３４、３４、単位部材Ｂに隣接する１個の単位部材Ａの当接面３４、３４に当接する。その結果、三段目の単位部材群１３の手前側の行と列の単位部材Ａが二段目の単位部材群１２に係合して、水平方向及び鉛直方向に連結される。また、三段目の単位部材群１３の残りの単位部材Ａは、二段目の単位部材群１１の隣接する４個の単位部材Ａの当接面３４にまたがって当接する。その結果、三段目の残りの単位部材Ａが二段目の単位部材群１２に係合して、水平方向及び鉛直方向に連結される。
【００４５】
三段目の単位部材群１３の奥側の単位部材Ｂ、単位部材Ｃ１、Ｃ２は、二段目の単位部材群１２の奥側の列と行の単位部材Ａの当接面３４、３４に当接する。その結果、三段目の単位部材群１３の奥側の単位部材Ｂ、単位部材Ｃ１、Ｃ２は、二段目の単位部材群１２に水平方向及び鉛直方向に連結される。その結果、図１に示すように、一段目の単位部材群１１、二段目の単位部材群１２、三段目の単位部材群１３が積み重なって係合され、水平方向及び鉛直方向に連結して構成された雨水貯留浸透施設１が出来る。すると、三段目の単位部材群１３の下方の単位部材Ａ…２１の平板部３１の高さまで、鉛直方向に貫通する平面視が正方形の点検口４が形成される。
【００４６】
上記したように、本発明の実施の形態の雨水貯留浸透施設１は、隣接する単位部材Ａ…２１、単位部材Ｂ…２２、単位部材Ｃ１…２３、単位部材Ｃ２…２４の平板部３１、３７、３８の辺の間に間隔Ｌ２を空けて配置している。従って、単位体積当たりの単位部材の使用個数が削減されるため製造コストが削減され、雨水貯留空間の空隙率も向上するため、雨水貯留体積が増大する。また、鉛直方向に貫通する点検口を多数形成することが可能となるため、雨水貯留浸透施設の点検作業が容易になる。更に、単位部材を連結する継手部材を使用しないため、製造コストが削減される。本発明の実施の形態の雨水貯留浸透施設１は、積み重ねた単位部材群の脚部が同一鉛直線上に整列するため、鉛直方向の荷重を適切に支持することができる。また、水平面上に配置した単位部材群の脚部が同一水平線上に整列するため、水平方向の荷重も適切に支持することができる。
【００４７】
図６は、図１の雨水貯留浸透施設１の三段目の単位部材群１３の上に取り付け、雨水貯留浸透施設１の上面の空隙を遮蔽して、土砂の浸入を防止する蓋部材を示す斜視図である。図６に示すように、本発明の雨水貯留浸透施設１の上面の空隙は、図２の雨水貯留浸透施設１の下面の空隙を蓋部材で遮蔽したのと同様に、図１１の蓋部材Ａ、図１２の蓋部材Ｂ、図１３の蓋部材Ｃを取り付けて遮蔽する。図６に示すように、図６の手前側の角に配置された単位部材Ａ…２１の手前側の角の当接面３４に蓋部材Ｃ…５３を載置する。そして、単位部材Ａ…２１の係合部３５、被係合部３６に蓋部材Ｃ…５３の係合部６５、被係合部６６を係合させて、単位部材Ａ…２１の当接面３４に蓋部材Ｃ…５３を固定する。その結果、単位部材Ａ…２１の手前側の角に配置された脚部３２または３３の開口部が遮蔽される。また、図６の手前側の行と列に配置された単位部材Ａ…２１、単位部材Ｂ…２２の手前側の当接面３４、３４に蓋部材Ｂ…５２を載置する。そして、単位部材Ａ…２１、単位部材Ｂ…２２の係合部３５、被係合部３６に蓋部材Ｂ…５２の係合部６５、被係合部６６を係合させて、単位部材Ａ…２１、単位部材Ｂ…２２の当接面３４、３４に蓋部材Ｂ…５２を固定する。
【００４８】
その結果、単位部材Ａ…２１、単位部材Ｂ…２２の手前側に配置された脚部３２または３３の開口部が遮蔽される。更に、上記以外の単位部材Ａ…２１、単位部材Ｂ…２２、単位部材Ｃ１、Ｃ２…２３、２４の隣接する４個の当接面３４、３４、３４、３４に蓋部材Ａ…５１を載置する。そして、単位部材Ａ…２１、単位部材Ｂ…２２、単位部材Ｃ１、Ｃ２…２３、２４の係合部３５、被係合部３６に蓋部材Ａ…５１の係合部６５、被係合部６６を係合させて、単位部材Ａ…２１、単位部材Ｂ…２２、単位部材Ｃ１、Ｃ２…２３、２４の当接面３４、３４、３４、３４に蓋部材Ａ…５１を固定する。その結果、単位部材Ａ…２１、単位部材Ｂ…２２、単位部材Ｃ１、Ｃ２…２３、２４の隣接する４個の脚部３２、３２、３３、３３の開口部が遮蔽される。
【００４９】
［蓋部材Ｄ］
図７は、図１の雨水貯留浸透施設１の三段目の単位部材群１３の上に取り付け、雨水貯留浸透施設１の点検口４を遮蔽して、土砂の浸入を防止する蓋部材Ｄを示す斜視図である。上記図６で説明したように、本発明の雨水貯留浸透施設１の上面の空隙は、蓋部材Ａ、蓋部材Ｂ、蓋部材Ｃを取り付けて遮蔽するが、点検口４の遮蔽は別の蓋部材Ｄで行う。蓋部材Ａ、蓋部材Ｂ、蓋部材Ｃ、蓋部材Ｄは合成樹脂で成形されている。図１４に示すように、蓋部材Ｄ…５４は、一辺の長さがＬ２の正方形の箱状部材で、蓋部材Ｄ…５４の厚さＨは、図８の単位部材Ａの平板部３１の厚さＨと同一に形成されている。蓋部材Ｄ…５４の一辺の長さＬ２は、正方形の点検口４の一辺の長さＬ２と同一に形成されている。蓋部材Ｄ…５４の一側面には、底板７１が一体的に形成され、蓋部材Ｄ…５４の他側面は開口している。蓋部材Ｄ…５４の四辺には、幅がＬ３のフランジ部７２が形成されている。
【００５０】
図７に示すように、蓋部材Ｄ…５４の底板７１を上にして、雨水貯留浸透施設１の三段目の単位部材群１３の点検口４に蓋部材Ｄ…５４を押し込んで取り付ける。すると、雨水貯留浸透施設１の点検口４が遮蔽され、土砂の浸入を完全に防止することができる。このようにして、雨水貯留浸透施設１の空隙を完全に遮蔽して、雨水貯留浸透施設１の上面に土砂を被せれば、雨水貯留浸透施設１への土砂の浸入を防止することができ、雨水貯留浸透施設１を埋設した土地を利用することが可能となる。雨水貯留浸透施設１の点検が必要になったら、蓋部材Ｄ…５４を雨水貯留浸透施設１から取り外して点検する。
【００５１】
［点検口］
前述したように、本実施の形態の雨水貯留浸透施設１は、特別な工事、設計変更等を行うことなく、その構造から上層から最下層まで貫通する貫通孔が形成される。図１７は、雨水貯留浸透施設の上面に敷設された覆土中に埋設した点検用カメラ用の点検口の縦断面図である。図１７に示すように、雨水貯留浸透施設１の上面に土砂や砂利等の覆土７３をかぶせる際に、点検口４に蓋部材Ｄ…５４を取り付けず、三段目の単位部材群１３の点検口４の上部と地表とを連絡する中空の筒状体（例えば塩化ビニール製のパイプ等）７４を埋め込む。中空の筒状体７４の上部には蓋７５を着脱可能に取り付ける。中空の筒状体７４は、点検口４のうちの必要な箇所に複数設置する。この雨水貯留浸透施設１の点検が必要になったら、蓋７５を取り外して点検用カメラを中空の筒状体７４を通して点検口４に挿入して点検する。このようにすれば、点検の度に、点検口４周辺の覆土７３を除去したり埋め戻す作業が不要となる。
【００５２】
前述した点検口４は、点検用カメラ用のものであったが、補修工事、堆積物の除去作業等のように作業員が雨水貯留浸透施設１内に立ち入る必要がある場合が生じる。図１８は、雨水貯留浸透施設に人孔用の点検口を設けた例であり、図１８（ａ）は図１８（ｂ）のａ−ａ線で切断したときの雨水貯留浸透施設の最上段の平面図であり、図１８（ｂ）は点検用人孔用の点検口近傍の縦断面図である。点検用人孔８０は、雨水貯留浸透施設１に上下方向に形成された角筒状の空間である。点検用人孔８０は、保守、点検作業等で作業員が雨水貯留浸透施設の内部に立ち入れる程度の大きさである。この点検用人孔８０は、雨水貯留浸透施設１の一部の単位部材Ａを上下の縦方向に取り外した角状の空間である。
【００５３】
図１８（ａ）に示す例では、雨水貯留浸透施設１の最上層部の点検用人孔８０の外周に１０個の単位部材Ａが矩形状に配置される。そして、２個の単位部材Ｂが配置されている（図１８（ａ）の上下位置）。端数である単位部材Ｂは、蓋部材Ａで固定されるが点検用人孔８０が形成されるので機械的な強度が弱い。このために、図１８（ｂ）に示すように、点検用人孔８０の形状に合致させて、矩形のアグル材等からなる補強部材８１で単位部材Ｂを固定する。また、雨水貯留浸透施設１の最上層部で、かつ点検用人孔８０の外周には、板状で正方形状のコンクリート床板８２が載せられている。コンクリート床板８２の中心部には、円孔８３が形成されている。コンクリート床板８２の上面の覆土８４には、鋳鉄蓋８７の高さ位置を調整するための環状の調整リング８５が配置されている。調整リング８５の上に鋳鉄蓋８７及びこれを支持する受枠８６が設置されている。雨水貯留浸透施設１の内部の点検、保守が必要なとき、鋳鉄蓋８７を開けて内部に入ることができる。本実施の形態の点検用人孔８０は、雨水貯留浸透施設１に特別な工事、設計変更等を行うことなく、上層から最下層まで貫通する孔が形成される。
【００５４】
［その他の実施の形態］
以上、本発明の実施例を説明したが、本発明はこの実施例に限定されることはない。例えば、本発明の実施の形態の雨水貯留浸透施設１は、１セットの単位部材群を三段積み重ねているが、１段以上であれば良い。また、高さが必要ないとき、設置場所の高さに構造的に制約があるときは、脚同士を接合することなく、単体の単位部材Ａ、単位部材Ｂ、単位部材Ｃ、蓋部材Ａ等を平面的に敷設したものでも良い。なお、この１段敷設の脚部の下端は、脚の先端凹部、凸部と連結する蓋部材（図示せず）を用いる。また、本発明の実施の形態の脚部は、円錐台状に形成されているが、脚部の断面形状は円形に限定されるものではなく、四角錐台状、六角錐台状等の任意の多角形の断面でも良い。雨水貯留浸透施設は、長期にわたって継続的に荷重が作用し続けると、クリープ変形によるひずみが発生するため、継続的に作用し続ける荷重に対する長期性能の照査を行う必要があり、関係団体からその指針も決められている。そのため継続的に作用し続ける荷重に対する長期性能の照査が行われている。このために、鉛直方向荷重、水平方向荷重の照査が行われる。
【００５５】
前述した実施の形態の脚部の肉厚は一定であった（図８、９参照）が、上記した鉛直方向荷重、水平方向荷重によるクリープ変形が上記指針で規定する以上の変形がある場合、肉厚を部分的に厚くする、部分的にリブを付ける等の方法で強度を強化する方法であっても良い。この材料力学的な強度の変更は、必要があれば脚部に限らず、他の箇所であっても良い。図８等に示した平板部３１は、略平面視で正方形であったが、必ずしも正方形でなくても長方形、又は正方形と長方形を混合して組み合わせたものであっても良い。
【符号の説明】
【００５６】
１…雨水貯留浸透施設
１１…一段目の単位部材群
１２…二段目の単位部材群
１３…三段目の単位部材群
２１…単位部材Ａ
２２…単位部材Ｂ
２３…単位部材Ｃ１
２４…単位部材Ｃ２
３１…平板部
３１１…一側面
３１２…他側面
３２、３３…脚部
３２１…係合凸部
３３１…係合凹部
３４…当接面
３５…係合部
３６…被係合部
３７…平板部
３７１…一側面
３７２…他側面
３８…平板部
３８１…一側面
３８２…他側面
３９…貫通穴
４…点検口
５１…蓋部材Ａ
５２…蓋部材Ｂ
５３…蓋部材Ｃ
５４…蓋部材Ｄ
５５…側面蓋部材Ａ
５６…側面蓋部材Ｂ
６１…平板部
６１１…一側面
６１２…他側面
６４…当接面
６５…係合部
６６…被係合部
６７…平板部
６７１…一側面
６７２…他側面
６８…平板部
６８１…一側面
６８２…他側面
７１…底板
７２…フランジ部
７３，８４…覆土
７４…中空の筒状体
７５…蓋
８１…平板部
８１１…一側面
８１２…他側面
８１３…当接面
８１４…一端面
８１５…他端面
８２…係合部
８３Ａ、８３Ｂ…当接突起
８４Ａ、８４Ｂ…傾斜当接面
８４１Ｂ、８４２Ｂ…係合溝
８４３Ｂ、８４４Ｂ…係合突起
８４５Ｂ、８４６Ｂ…係合部
８４１Ａ、８４２Ａ…係合突起
８４３Ａ、８４４Ａ…係合溝
８４５Ａ、８４６Ａ…係合穴
８５…平板部
８５１…一側面
８５２…他側面
８５４…一端面
８５５…他端面
８６Ａ、８６Ｂ…傾斜当接面
８６１Ｂ、８６２Ｂ…係合溝
８６３Ｂ、８６４Ｂ…係合突起
８６５Ｂ、８６６Ｂ…係合部
８６１Ａ、８４２Ａ…係合溝
８６３Ａ、８６４Ａ…係合突起
８６５Ａ、８６６Ａ…係合部
【図１】
2019073855.tif 000003
【図２】
2019073855.tif 000004
【図３】
2019073855.tif 000005
【図４】
2019073855.tif 000006
【図５】
2019073855.tif 000007
【図６】
2019073855.tif 000008
【図７】
2019073855.tif 000009
【図８】
2019073855.tif 000010
【図９】
2019073855.tif 000011
【図１０】
2019073855.tif 000012
【図１１】
2019073855.tif 000013
【図１２】
2019073855.tif 000014
【図１３】
2019073855.tif 000015
【図１４】
2019073855.tif 000016
【図１５】
2019073855.tif 000017
【図１６】
2019073855.tif 000018
【図１７】
2019073855.tif 000019
【図１８】
2019073855.tif 000020